(57)【特許請求の範囲】
【請求項１】
ランプ飾り等の取付基板に豆ランプを装着するランプ取付筒を一体に設け、該ランプ取付筒の先端一側をほぼ半周に亘り所望深さ切欠いて切取空間を形成し、また先端他側に前記豆ランプの取付ベースが当接して豆ランプを所定位置に保持する受止面を設けたことを特徴とするパチンコ機におけるランプ飾り等の豆ランプ取付構造。
【請求項２】
ランプ飾り等の取付基板に豆ランプを装着するランプ取付筒および該ランプ取付筒の外周に位置させて先端に爪部を有する係止片をそれぞれ一体に設け、前記ランプ取付筒の先端一側をほぼ半周に亘り所望深さ切欠いて切取空間を形成し、また先端他側に前記豆ランプの取付ベースが当接して豆ランプを所定位置に保持する受止面を設け、また豆ランプの取付ベースは前記爪部を通過させるための小径部と受止面に当接する大径部とを有し、前記爪部の下面と受止面との間で取付ベースを圧接固定するようにしたことを特徴とするパチンコ機におけるランプ飾り等の豆ランプ取付構造。
【発明の詳細な説明】
【０００１】
【産業上の利用分野】
本発明は、パチンコ機の前面枠に装着されるランプ飾り、または遊技盤面に装着される入賞装置、ランプ飾り、レール飾り等の遊技盤面電飾部材の内部に設けられて、その内部から照らす豆ランプの取付構造に関するものである。
【０００２】
【従来の技術】
従来、この種の豆ランプはランプと一体化するゴムソケットの基端部に取付ベースから突出するプラグを差し込んで形成され、例えば遊技盤面電飾部材には、その取付基板に前記取付ベースを当接させてビス止めするか、または前記取付基板にランプ取付筒を一体に設け、該ランプ取付筒にゴムソケットを嵌入して保持していた。
【０００３】
【発明が解決しようとする課題】
しかしながら、前者は取付が面倒であることから時間も要し、作業性が悪いという問題点が有った。一方、後者は作業性の面は改良されるものの、豆ランプの位置決めが勘に頼らざるを得ず、しかも取付ベースをランプ取付筒先端に当てて豆ランプの位置決めをする際、取付ベースが外れるとゴムソケットがランプ取付筒内に入り込んで外せなくなる。このため、再度ゴムソケットに取付ベースのプラグを差し込むにも差し込みにくく困難であり、ともすると、豆ランプが押し出されたり、プラグがゴムソケットに完全に差し込まれず接続が不充分になることもあった。また、使用中に遊技盤の中を跳ね交うパチンコ球の衝撃やモータの振動等がランプ取付筒に伝わり、この衝撃や振動により取付ベースがゴムソケットから外れるという問題点も有った。
【０００４】
そこで、本発明は上記問題点を解決すべくなされたもので、その目的とするところは、豆ランプの取付及び交換が極めて容易且つ簡便に行なえると共に、衝撃・振動によっても豆ランプの取付ベースが外れないようにしたパチンコ機におけるランプ飾り等の豆ランプ取付構造。
【０００５】
【問題を解決するための手段】
上記目的を達成するために本発明のパチンコ機におけるランプ飾り等の豆ランプ取付構造は、ランプ飾り等の取付基板に豆ランプを装着するランプ取付筒を一体に設け、該ランプ取付筒の先端一側をほぼ半周に亘り所望深さ切欠いて切取空間を形成し、また先端他側に前記豆ランプの取付ベースが当接して豆ランプを所定位置に保持する受止面を設けた構成よりなる。
【０００６】
または、ランプ飾り等の取付基板に豆ランプを装着するランプ取付筒および該ランプ取付筒の外周に位置させて先端に爪部を有する係止片をそれぞれ一体に設け、前記ランプ取付筒の先端一側をほぼ半周に亘り所望深さ切欠いて切取空間を形成し、また先端他側に前記豆ランプの取付ベースが当接して豆ランプを所定位置に保持する受止面を設け、また豆ランプの取付ベースは前記爪部を通過させるための小径部と受止面に当接する大径部とを有し、前記爪部の下面と受止面との間で取付ベースを圧接固定するようにした構成よりなる。
【０００７】
【作用】
請求項１において、ランプ取付筒の先端一側をほぼ半周に亘り所望深さ切欠いて切取空間を形成すると共に、先端他側に豆ランプの取付ベースが当接して豆ランプを所定位置に保持する受止面を設けたので、取付べースがランプ取付筒の受止面に当接するまで嵌入することにより豆ランプが所定位置に装着される。また、取付時・使用時に取付ベースが外れても前記切取空間からゴムソケットが突出しているので、その端部を指先で摘み、容易に引き抜くことができ、豆ランプの修理も簡単に行なえる。
【０００８】
請求項２においては、請求項１と同様にランプ取付筒に対する豆ランプの着脱が容易にできると共に、ランプ取付筒の外周に位置させて先端に爪部を有する係止片を設けるようにし、豆ランプの取付ベースを前記爪部の下面と受止面との間で圧接するようにしたので、取付ベースがランプ取付筒にしっかりと固定され、パチンコ球の衝撃やモータの振動等が加っても外れることはない。
【０００９】
【実施例】
本発明は、パチンコ機の遊技盤に装着される入賞装置，ランプ飾り，レール飾りなどの遊技盤面電飾部材またはパチンコ機の前面枠に装着されるランプ飾りなど内部から豆ランプで照らす部分には総べて適用することができる。
そこで、以下遊技盤面に装着されるランプ飾りについてその実施例を説明する。
【００１０】
図１は本発明が適用されるパチンコ機の正面図を示し、図中１はパチンコ機本体、２は前面枠であり、その裏面に遊技盤３が装着されている。該遊技盤３の表面には外レール４及び内レール５が渦巻き状に敷設されており、これら外レール４及び内レール５により囲まれて遊技部６が形成されている。該遊技部６にはほぼ中央に可変表示器７が設けられ、可変表示器７の下方には始動入賞口としての通過チャッカー８とアタッカーと呼ばれる特定入賞口９が設けられると共に、遊技盤３面に敷設された内レール５に沿ってランプ飾り１０が設けられ、その下に大入賞口１１が設けられる。１２は一般入賞口、１３は風車である。
【００１１】
前記通過チャッカー８は、遊技盤３の遊技部６に打ち込まれたパチンコ球が、このチャッカー８を通過したことを検出し、可変表示器７の液晶表示パネル１４に表示される数があらかじめ設定された表示（例えば「５，５，５」、「７，７，７」等のぞろ目）に揃ったときに、特定入賞口９の開閉扉１５を一定時間（例えば約６秒）又は一定個数（例えば６個）のパチンコ球が入賞するまで開成する。そして、一定時間経過後又は一定個数のパチンコ球が入賞して開閉扉１５が閉成したときに、球受板がＶ入賞口を開け、球受板上に保留されているパチンコ球をＶ入賞口に入賞し、これによって「大当たり」としての権利発生とするものである。
【００１２】
前記ランプ飾り１０は、図２乃至図５に示すように、遊技盤３面に取り付けられる取付基板１６とこの取付基板１６の前面に装着される透光性合成樹脂製のレンズ部材１７とからなり、図２に分解して示すように、前記取付基板１６の裏面には、モータ１８の駆動軸１８ａを設置するための軸孔１９を囲む枠状の台部２０と、パチンコ球の通過を検出する入賞球検出器２１を設置する検出器用枠孔２２と、パチンコ球の排出口２３と、豆ランプ２４の差込孔２５を囲んでランプ取付筒２６が一体に設けられて形成され、前記台部２０の上に設けられる軸受盤２７を介してモータ１８によって一定方向へ常時回転する回転体２８が装着される。また、前記レンズ部材１７には前記回転体２８を覆い且つ内側に前記回転体２８の周囲を囲む略環状のガイド枠２９と、前記検出器２１の検出器固定枠３０を備え且つ前記取付基板１６の排出口２３に連通する球通路３１が一連的に設けられて形成される。
【００１３】
そして、前記ランプ飾り１０は、前記通過チャッカー８の権利発生の状態において、回転体２８の球保持部３２がガイド枠２９の上部に備える球待機部３３と一致したとき、その待機部３３に位置するパチンコ球を球保持部３２に受け入れて下方へ運び、回転体２８の球保持部３２から球通路３１を通過するパチンコ球が入賞球検知器２１により検出されて「大当り」の権利が確定となり、同時に、大入賞口１１の可動翼片を一定時間（例えば約１０秒）経過するまでの間、又は所定個数（例えば１０個）のパチンコ球が入賞するまで開かれる。
又、前記ランプ取付筒２６には豆ランプ２４が差込孔２５からレンズ部材１７の内部空間に臨ませて装着され、そしてこの豆ランプ２４は常時点灯することによりランプ飾り１０の装飾性が高められるようにする。
【００１４】
【実施例１】
図２〜図７は、本発明の第１実施例を示し、前記ランプ飾り１０のランプ取付筒２６は、図６に示すように取付基板１６の裏面に一体に設けられたブラケット３４から両側へ一体に対称に湾曲させ且つ互いの先端を開放するスリット３５を有して豆ランプ２４の差込孔２５を囲む筒部３６を形成している。該筒部３６の内径は豆ランプ２４のゴムソケット３８の外径より僅かに小さい寸法に設定してある。そして、該筒部３６の先端一側、すなわちスリット３５を設けた側はほぼ半周に亘り所望深さ切欠いて指先が入り込む程度の切取空間Ｓが形成され、また先端他側に豆ランプ２４の取付ベース３９が当接して豆ランプ２４を所望位置に保持する受止面３７が設けられる。
【００１５】
本発明の第１実施例において、豆ランプ２４は図６に示すようにゴムソケット３８の一端側にランプ２４ａが差し込まれ、ゴムソケット３８の他端側には取付ベース３９から突出されるプラグ４０，４０が差し込まれて構成されている。このうち、取付ベース３９は前記ランプ取付筒２６より大径に形成される。４１，４１は取付ベース３９から延出され電源に接続するためのリード線である。
【００１６】
第１実施例は上記構成よりなり、豆ランプ２４のゴムソケット３８を筒部３６に嵌入し、図７に示すように取付ベース３９を受止面３７に当接させる。これにより、豆ランプ２４が所定位置に容易に装着される。しかも、ゴムソケット３８が弾発性を有する筒部３６により周囲から締め付けられるので、衝撃・振動が加わるも簡単に抜け落ちることはない。また、豆ランプ２４の取付時・使用時に取付ベース３９が外れても、筒部３６上端の切取空間Ｓからゴムソケット３８が突出しているので、その端部を指先で摘み容易に引き抜くことができ、これにより豆ランプ２４の修理が簡単に行なえる。
【００１７】
【実施例２】
図８，図９は本発明の第２実施例を示すものである。この実施例において、第１実施例と同一である部分は同一符号を用いてその説明を省略する。そこで、取付基板１６には、ランプ取付筒２６の外周に位置させて係止片４２が一体に突設される。該係止片４２の先端にはランプ取付筒２６側を向く爪部４３が設けられている。また、該爪部４３の下面４３ａと筒部３６先端の受止面３７との間隔は後述する豆ランプ２４１の取付ベース３９１の厚みとほぼ同じに設定してある。また、豆ランプ２４１は、ランプ２４ａと一体化したゴムソケット３８の基端部に、平面円形の取付ベース３９１から突出されるプラグ４０，４０が差し込まれて構成される。ただ、前記取付ベース３９１は一側にコ字状の切欠部４４を設けて前記爪部４３を通過させる小径部ａと受止面３７に当接する大径部ｂとを有する。また、前記取付ベース３９１はランプ取付筒２６に装着した場合、その外周面が係止片４２の内面に摺接するようその大きさが設定してある。
【００１８】
第２実施例は上記構成よりなり、取付ベース３９１の切欠部４４を爪止部４２の爪部４３に合致させてゴムソケット３８を筒部３６に嵌入し、取付ベース３９１を受止面３７に当接させる。そして、取付ベース３９１を左右どちらかに回転する。これにより、図９に示すように取付ベース３９１が爪部４３の下面４３ａとランプ取付筒２６の受止面３７との間で圧接され、取付ベース３９１がランプ取付筒２６にしっかりと固定される。このようにすれば、パチンコ球の衝撃やモータの振動が加っても取付ベース３９１が外れるようなことはない。
【００１９】
以下他の実施例を示すが、これらにおいても同一である部分は同一符号を用いて説明を省略する。
図１０に示す豆ランプ２４２は、他の実施例を示すもので円形の取付ベース３９２の一側を外方へ張り出させその円周に突出段部４５を設けたものであり、図１１に示すようにランプ取付筒２６に豆ランプ２４２を装着して回転した場合、前記突出段部４５が係止片４２の側面に当接するようになっており、これにより衝撃・振動による取付ベース３９２の無用な回転が防止される。
【００２０】
図１２に示す豆ランプ２４３も他の実施例を示すもので、取付ベース３９３の両側に爪部４３が通過できるための直線状の切欠部４４３を設けたもので、また図１３に示す豆ランプ２４４は更に取付ベース３９４の外周に前記突出段部４５を設けてなる。
【００２１】
図１４に示す豆ランプ取付構造は、取付基板１６にランプ取付筒２６の外周に位置させて２本の係止片４２，４２が一体に突設され、該各係止片４２，４２の先端に互いに向き合うよう爪部４３，４３が設けられている。一方、豆ランプ２４５の取付ベース３９５は平面略十文字状に形成され、対向する２片４６，４６には先端に回転させて両係止片４２，４２の側面に当接する突出段部４５，４５が設けられる。また、残りの２片４７，４７は両爪部４３，４３が通過できる寸法に形成されている。この豆ランプ２４５は前記残りの２片４７，４７を各爪部４３，４３に対応位置させ、ゴムソケット３８を筒部３６に嵌入して９０度回転させることにより装着されるもので、このように２ケ所の爪部４３，４３で取付ベース３９５を圧接するようにすればより一層強固に固定し得る。
【００２２】
図１５，図１６も他の実施例を示すもので、取付基板１６に弾性機能を付与した係止片４２１を一体に設けたものである。この場合は、豆ランプ２４６の取付ベース３９６の一側に爪部４３１を通過させるためのコ字状の切欠部４４６が設けられ、筒部３６に豆ランプ２４６を装着したとき、前記切欠部４４６が係止片４２１に嵌合して、その内側面が係止片４２１の内側面に当接して、その係止片４２１の弾性により取付ベース３９６が圧接されるようになっており、所謂ワンタッチ式に豆ランプ２４６が取付固定されるものである。
【００２３】
【発明の効果】
以上述べたように、本発明は豆ランプをランプ取付筒に嵌入し、取付ベースを受止面に当接するのみで、豆ランプを所定位置に取付けられる。また、豆ランプをランプ取付筒に装着した状態で取付ベースが外れてもゴムソケットがランプ取付筒の先端から突出しているので、ゴムソケットを指先で摘んで容易に取り外すことができる。これにより、豆ランプの着脱交換が容易・簡便に行なえ、しかも豆ランプの修理も簡単に行なえる。
【００２４】
また、ランプ取付筒の外周に爪部を有する係止片を設けたものにあっては、豆ランプの取付ベースが爪部の下面とランプ取付筒の受止面との間で圧接固定されるので、使用中、パチンコ球の衝撃やモータの振動が加っても取付ベースが外れるといったことが無くなる等有益な利点を有する。
【図面の簡単な説明】
【図１】本発明におけるランプ飾りが適用されるパチンコ機の正面図である。
【図２】本発明のランプ飾りの分解斜視図である。
【図３】本発明のランプ飾りを表面から示す斜視図である。
【図４】本発明のランプ飾りを裏面から示す斜視図である。
【図５】本発明のランプ飾りの断面図である。
【図６】本発明の第１実施例におけるランプ取付筒と豆ランプを分離して示す斜視図である。
【図７】同じく豆ランプをランプ取付筒に装着した状態の断面図である。
【図８】本発明の第２実施例におけるランプ取付筒と豆ランプを分離して示す斜視図である。
【図９】本発明の第２実施例におけるランプ取付筒に豆ランプを装着して示す断面図である。
【図１０】他の実施例の豆ランプの斜視図である。
【図１１】同豆ランプをランプ取付筒に装着した状態を示す平面図である。
【図１２】他の実施例の豆ランプの斜視図である。
【図１３】他の実施例の豆ランプの斜視図である。
【図１４】他の実施例のランプ取付筒と豆ランプを分離して示す斜視図である。
【図１５】他の実施例の豆ランプとランプ取付筒を分離して示す斜視図である。
【図１６】同豆ランプをランプ取付筒に取付けた状態を示す平面図である。
【符号の説明】
１０          ランプ飾り
１６          取付基板
２４          豆ランプ
２６          ランプ取付筒
Ｓ            切取空間
３７          受止面
３９          取付ベース
【図１】
0003763862.tif 000002
【図２】
0003763862.tif 000003
【図３】
0003763862.tif 000004
【図４】
0003763862.tif 000005
【図５】
0003763862.tif 000006
【図６】
0003763862.tif 000007
【図７】
0003763862.tif 000008
【図８】
0003763862.tif 000009
【図９】
0003763862.tif 000010
【図１０】
0003763862.tif 000011
【図１１】
0003763862.tif 000012
【図１２】
0003763862.tif 000013
【図１３】
0003763862.tif 000014
【図１４】
0003763862.tif 000015
【図１５】
0003763862.tif 000016
【図１６】
0003763862.tif 000017